(57)【要約】
【課題】初期の植物生育に所要な養分を含有し、発芽生存の効率が向上されると共に植物の成長をよくすることができる植生マットを提供する。
【解決手段】地面上に敷かれる繊維ベース層３と、密度がベース層３より小であり、該ベース層３上に重ねて被せられていて、繊維本体４１、該繊維本体４１の表面に散在している複数の種子４２及び繊維本体４１内に夾雑付着していて種子４２に必要な養分を提供することができる複数の養分体４３を有している繊維中間層４と、繊維中間層４上に設けられている繊維表面層５とからなり、繊維ベース層３の密度が、繊維中間層４より大きいことにより、種子４２より発根した一次根４２１をすぐにベース層３へ突き抜けさせることなく、繊維中間層４内に一時的に延在させ、該一次根４２１及び該一次根４２１より発根した二次根４２２に繊維中間層４の養分体４３により与えられる養分を吸収させることができる。
【選択図】図１
0003099165.tif 000002
【実用新案登録請求の範囲】
【請求項１】
　地面上に敷かれる繊維ベース層（３）と、
　その密度が前記ベース層（３）より小であり、該ベース層（３）上に重ねて被せられていて、繊維本体（４１）、該繊維本体（４１）の表面に散在している複数の種子（４２）及び前記繊維本体（４１）内に夾雑付着していて前記種子（４２）に必要な養分を提供することができる複数の養分体（４３）を有している繊維中間層（４）と、
　前記繊維中間層（４）上に設けられている繊維表面層（５）とからなり、
　前記繊維ベース層（３）の密度が、前記繊維中間層（４）より大きいことにより、前記種子（４２）より発根した一次根（４２１）をすぐに前記ベース層（３）へ突き抜けさせることなく、前記繊維中間層（４）内に一時的に延在させ、該一次根（４２１）及び該一次根（４２１）より発根した二次根（４２２）に前記繊維中間層（４）の養分体（４３）により与えられる養分を吸収させることができる植生マット。
【請求項２】
　前記繊維ベース層（３）、前記繊維中間層（４）及び前記繊維表面層（５）が、不織布、織布及び編織布の中から選ばれた材質により造られていることを特徴とする請求項１に記載の植生マット。
【請求項３】
　前記養分体は、ＶＡ菌根菌及び他の植物の生育を促進することができる菌種から選ばれた菌体と泥炭土よりなった混合物であることを特徴とする請求項１または請求項２に記載の植生マット。
【請求項４】
　前記繊維ベース層（３）が、１ｍｍ〜３ｍｍ程度の層厚で、前記繊維中間層（４）が、３ｍｍ〜８ｍｍ程度の層厚で、前記繊維表面層（５）が、０．２ｍｍ〜１．０ｍｍ程度の層厚であることを特徴とする請求項１乃至請求項３のいずれか１項に記載の植生マット。
【考案の詳細な説明】
【技術分野】
【０００１】
　本考案は、乾燥土壌にて植物の生育を促進可能な植生マットに関する。
【背景技術】
【０００２】
　一般に、植物栽培としては、土壌に植物の種子を蒔いて水や肥料を与えることにより植物を成長させているが、水分や土壌が流失し易い地面などでは良好な生育が難しい。このような問題点を解決するため、従来、種子を内蔵したシートを積層した植生マットを提案したことがある。この植生マット１は、例えば図３に示すように、地面上に敷くベース層１１と、該ベース層１１上に設けられている表面層１２とを備え、これらベース層１１と表面層１２との間に複数の種子１０が介在されている。なお、図は説明し易くするために、種子１０を拡大して示している。
【０００３】
　図４、３に示すように、植物の種子１０が発芽して、一次根１０１が発生し、しばらくして一次根１０１から二次根１０２が出て、やがて前記表面層１２から稈や茎を出して成株１０３になるまで成長する。群生した成株１０３は、土壌中に根を下すことによって、保水機能を果していると共に種子１０を定位発芽させることができ、均一且つ大面積に緑化することができる。
【考案の開示】
【考案が解決しようとする課題】
【０００４】
　しかしながら、前記植生マット１は、乾燥土壌や栄養が貧弱な場所などに敷き詰められたとき、前記二次根１０２はなかなか養分を十分に吸収することができないので、植物がよく成長できず、やがて枯死する問題点があるため、なおも改良の余地がある。
【０００５】
　本考案は、前記問題点を鑑みてなされたものであり、初期の植物生育に所要な養分を含有し、発芽生存の効率が向上されると共に植物の成長をよくすることができる植生マットを提供することを課題とする。
【課題を解決するための手段】
【０００６】
　前記課題を解決するため、本考案の植生マットは、地面上に敷かれる繊維ベース層と、その密度が前記ベース層より小であり、該ベース層上に重ねて被せられていて、繊維本体、該繊維本体の表面に散在している複数の種子及び前記繊維本体内に夾雑付着していて前記種子に必要な養分を提供することができる複数の養分体を有している繊維中間層と、前記繊維中間層上に設けられている繊維表面層とからなり、前記繊維ベース層の密度が、前記繊維中間層より大きいことにより、前記種子より発根した一次根をすぐに前記ベース層へ突き抜けさせることなく、前記繊維中間層内に一時的に延在させ、該一次根及び該一次根より発根した二次根に前記繊維中間層の養分体により与えられる養分を吸収させることができるように構成している。
【０００７】
　この植生マットでは、前記繊維ベース層、前記繊維中間層及び前記繊維表面層が、不織布、織布及び編織布の中から選ばれた材質により造られていることが好ましい。
【０００８】
　また、前記養分体は、ＶＡ菌根菌及び他の植物の生育を促進することができる菌種から選ばれた菌体と泥炭土よりなった混合物であることが好ましい。
【０００９】
　さらに、前記繊維ベース層が、１ｍｍ〜３ｍｍ程度の層厚で、前記繊維中間層が、３ｍｍ〜８ｍｍ程度の層厚で、前記繊維表面層が、０．２ｍｍ〜１．０ｍｍ程度の層厚であることが好ましい。
【考案の効果】
【００１０】
　前記構成の植生マットでは、前記繊維中間層の密度が、前記繊維ベース層より小さいので、前記種子より発根した一次根をすぐ前記ベース層へ突き抜けさせることなく、前記繊維中間層内に一時的に延在させ、該一次根及び該一次根より発根した二次根が該繊維中間層内に夾雑散在した養分体により与えられる養分を吸収することができる。
【考案を実施するための最良の形態】
【００１１】
　本考案の他の特徴及び利点は、添付図面を参照しながら、以下の最小な実施の形態の詳細な説明により明らかとなる。
　本考案の実施形態の植生マットは、図１に示すように、地面に敷かれる繊維ベース層３、繊維ベース層３上に重ねられている繊維中間層４及び繊維中間層４上に重ねられている繊維表面層５からなっている。
【００１２】
　前記各層３，４，５の繊維のそれぞれは、人工合成繊維、天然繊維又はナイロン繊維よりつくられており、例えば不織布、織布、編織布または他の繊維材質などが挙げられる。以下、前記繊維ベース層３の層厚が約２ｍｍで、前記繊維中間層４の層厚が５ｍｍ程度で、前記繊維表面層５の層厚が約０．５ｍｍであり、且つそれぞれが不織布である例をあげて説明していく。
【００１３】
　前記繊維ベース層３は、土壌の上に敷くための層である。前記繊維中間層４は、前記繊維ベース層３の上面に重ねられており、その層密度が前記繊維ベース層３より小さく形成されている。この繊維中間層４は、繊維本体４１、該繊維本体４１上に担持されている複数の種子４２、及び、該繊維本体４１内に夾雑散在して前記種子４２より出た根に養分を与えるための養分体４３を備えている。なお、説明し易くするために、種子４２は拡大して図示している。本実施形態において、前記養分体４３は菌体、泥炭土及び有機肥料よりなった混合物であることが好ましく、菌体だけを含有してもよいが、植物の育成に寄与するのであれば前記に限らない。前記菌体は、植物の育成を促進することができる菌種が好ましく、例えば植物根に共生する粉末状のＶＡ(Vesicular-Arbuscular)菌根菌を使うことができる。前記養分体４３は前記繊維本体４１上に撒かれ、はては繊維間の隙間を通して本体４１内に夾雑散在してある。前記繊維表面層５は、前記繊維中間層４上に被せられており、前記繊維本体４１と前記種子４２を挟んで所定部位に定位させる。また、本考案の植生マットの三層構造は、編み織り、張合わせ又はフィルムコーティングなどによって形成させることができる。
【００１４】
　また、本実施形態の植生マットにおいて、前記養分体４３は綿密な糸状ネットに類似した構造に形成されることによって、前記種子４２の一次根４２１より発根した二次根４２２に共生感染して根を広げることができるので、植物の生育を促進し、植物の養分吸収機能を高める一方、土壌の乾燥、病気にも強くなるなどの効果が得られる。
【００１５】
　また、図２に示すように、前記繊維ベース層３の層密度を前記繊維中間層４より大きくすることにより、前記種子４２より発根した一次根４２１はすぐに前記繊維中間層４を突き抜けることなく、一時的に前記繊維中間層４内に保育されながら前記二次根４２２を発根してから、斜めに前記繊維中間層４及び前記ベース層３を突き抜け地面へと入っていく。前記一次根４２１及び前記二次根４２２が一時期前記繊維中間層４内に保育される状態であるため、前記養分体４３、特にその中に含有しているＶＡ菌根菌によって、養分や水分を効率よく吸収することができるので、植物の初期の発根不良、枯死などの生育障害を低減させることができる。したがって、本考案の植生マットは、乾燥環境や貧弱土壌などにも均一且つ大面積に緑化することができる。
【００１６】
　このように、本考案の植生マットは、繊維ベース層の層密度が繊維中間層の層密度より大きい構成によって、植物種子より発根した一次根がすぐに前記繊維ベース層へと突き抜けることなく一時的に前記繊維中間層内に保育されながら二次根を出し、水分や該繊維中間層内における養分体により与えられる養分を吸収することができるので、植物の生育を促進させることができ、乾燥環境や土壌条件が悪い土地などでも一面に緑化することができる。
【図面の簡単な説明】
【００１７】
【図１】本考案にかかる実施形態の植生マットの構成を概略示す断面図。
【図２】本考案の植生マットにおける植物種子の成長過程を概略示す断面図。
【図３】従来の植生マットの概略断面図。
【図４】植物の種子から成株までの成長過程を概略示す流れ図。
【図５】従来の植生マットにおける植物種子の成長過程を示す断面図。
【符号の説明】
【００１８】
３…繊維ベース層
４…繊維中間層
４１…繊維本体
４２…種子
４２１…一次根
４２２…二次根
４３…養分体
５…繊維表面層
【図１】
0003099165.tif 000003
【図２】
0003099165.tif 000004
【図３】
0003099165.tif 000005
【図４】
0003099165.tif 000006
【図５】
0003099165.tif 000007